(57)【要約】【課題】  セキュリティ機能と利便性とを兼ね備えた印刷装置を提供する。【解決手段】  画像読取により得られた印刷データ、またはネットワークを介して入力された印刷データをハードディスクに記録させ、記録されたデータに基づいて画像の印刷を行なう印刷装置において、印刷終了後に（Ｓ１０５）、別の原稿のスキャンが開始された場合（Ｓ１０９）、またはパネルリセットボタンが短い時間押された場合に（Ｓ１１１、Ｓ１１３）、ハードディスク上に記録されたデータを上書き可能とする（Ｓ１２７）。一方、パネルリセットボタンが一定時間以上押された後（Ｓ１１３）、完全消去が選択されたときには（Ｓ１１５）、ハードディスク上に保存されたデータを完全に消去する（Ｓ１１７）。【選択図】        図５
2005096082.tif 000002
【特許請求の範囲】
【請求項１】
原稿を読取る読取手段と、
前記読取手段により得られる印刷データを記憶する記憶手段と、
前記印刷データを記録媒体上に印刷する印刷手段と、
操作者による操作を受付ける操作手段と、
前記操作手段の操作が前記印刷データを前記記憶手段から消去する所定の操作かどうか判断する判断手段と、
前記判断手段により、前記操作手段の操作が前記所定の操作であると判断されたとき、前記印刷データを前記記憶手段から消去する消去手段とを備えた、印刷装置。
【請求項２】
印刷データを入力する入力手段と、
前記入力された印刷データを記憶する記憶手段と、
前記印刷データを記録媒体上に印刷する印刷手段と、
操作者による操作を受付ける操作手段と、
前記操作手段に所定の操作が行なわれたとき、前記印刷データを前記記憶手段から消去する消去手段とを備えた、印刷装置。
【請求項３】
前記所定の操作は、印刷装置の設定をリセットする操作である、請求項１または２に記載の印刷装置。
【請求項４】
前記所定の操作は、リセットボタンの長押しである、請求項１または２に記載の印刷装置。
【請求項５】
前記所定の操作は、通常使用時の操作とは異なる予め定められた操作である、請求項１または２に記載の印刷装置。
【請求項６】
前記消去手段は、複数種類の消去処理を行なうことが可能であり、いずれかの消去処理を選択する、請求項１〜５のいずれかに記載の印刷装置。
【請求項７】
前記選択は、前記操作手段の同一操作部材の操作方法の違いに基づいて行なわれる、請求項６に記載の印刷装置。
【請求項８】
前記消去手段は、前記印刷データの復元が不可能となる消去処理を行なう、請求項１〜７のいずれかに記載の印刷装置。
【請求項９】
前記消去手段は、前記印刷データが記憶された領域に印刷データとは無関係のデータを上書きすることで印刷データを消去する、請求項１〜８のいずれかに記載の印刷装置。
【請求項１０】
新たな印刷データが入力されると、前記記憶手段上の領域であって、以前印刷データが記憶されていた領域にそれを記録する、請求項１〜９のいずれかに記載の印刷装置。
【請求項１１】
前記操作手段は、前記記憶手段に記憶された印刷データの再印刷を指示する指示手段を有する、請求項１〜１０のいずれかに記載の印刷装置。
【発明の詳細な説明】
【技術分野】
【０００１】
この発明は印刷装置に関し、特に読取られた印刷データまたは入力された印刷データなどを記憶し、記憶された印刷データを記録媒体上に印刷する印刷装置に関する。
【背景技術】
【０００２】
ＭＦＰ（Multi Function Peripheral）、プリンタ、ファクシミリなどの印刷装置の分野において、ハードディスクなどの大容量記憶装置をバッファとして用い、原稿スキャンにより得られた原稿画像データや、入力された画像データ（これらの画像データは印刷に用いられる画像データであるため、「印刷データ」とも呼ぶ。）を一旦保存し、高速に印刷を行なう技術が知られている。また、このような印刷装置においては記憶装置にデータを保存しておくことで、オリジナルの原稿を用意しなくても、原稿スキャンを行なったときと同等の画質で原稿の複製を作成することができる。
【０００３】
近年、データのセキュリティ確保やプライバシー保護への関心が高まってきており、印刷装置においても、バッファを含めてデータを一切保存しないことでセキュリティ確保を図るケースが出てきている。また、セキュリティ確保に関し、以下の特許文献１においては、印刷データを装置に保存し、データ番号とパスワードとを用いてデータの呼出を行ない、そのデータの削除を行なうことができるプリンタが開示されてる。
【０００４】
また、以下の特許文献２においては、保存時間が経過すると印刷データを消去することで機密を保持するプリンタ装置が開示されている。
【特許文献１】特開平９−２４４８２８号公報
【特許文献２】特開平１０−２２６１１５号公報
【発明の開示】
【発明が解決しようとする課題】
【０００５】
しかしながら、上述のように印刷装置においてデータを一切保存しないように装置を構成すると、作業中に設定変更（たとえば、印刷の追加や、ステープル、２ｉｎ１などの印刷の設定変更）を行なう場合には、その都度原稿のスキャンなどをし直す必要があり、装置の利便性が損なわれてしまうという問題が発生する。
【０００６】
この発明は上記問題点を解決するためになされたものであり、セキュリティ機能と利便性とを兼ね備えた印刷装置を提供することを目的としている。
【課題を解決するための手段】
【０００７】
上記目的を達成するためにこの発明のある局面に従うと、印刷装置は、原稿を読取る読取手段と、読取手段により得られる印刷データを記憶する記憶手段と、印刷データを記録媒体上に印刷する印刷手段と、操作者による操作を受付ける操作手段と、操作手段の操作が印刷データを記憶手段から消去する所定の操作かどうか判断する判断手段と、判断手段により、操作手段の操作が所定の操作であると判断されたとき、印刷データを記憶手段から消去する消去手段とを備える。
【０００８】
この発明の他の局面に従うと、印刷装置は、印刷データを入力する入力手段と、入力された印刷データを記憶する記憶手段と、印刷データを記録媒体上に印刷する印刷手段と、操作者による操作を受付ける操作手段と、操作手段に所定の操作が行なわれたとき、印刷データを記憶手段から消去する消去手段とを備える。
【０００９】
ここに、印刷データを入力する入力手段の具体例としては、読取手段であるスキャナや、モデム、ＬＡＮカードなどの通信デバイスが挙げられる。
【００１０】
好ましくは所定の操作は、印刷装置の設定をリセットする操作である。
【００１１】
好ましくは所定の操作は、リセットボタンの長押しである。
【００１２】
好ましくは所定の操作は、通常使用時の操作とは異なる予め定められた操作である。
【００１３】
好ましくは消去手段は、複数種類の消去処理を行なうことが可能であり、いずれかの消去処理を選択する。
【００１４】
好ましくは選択は、操作手段の同一操作部材の操作方法の違いに基づいて行なわれる。
【００１５】
好ましくは消去手段は、印刷データの復元が不可能となる消去処理を行なう。
【００１６】
好ましくは消去手段は、印刷データが記憶された領域に印刷データとは無関係のデータを上書きすることで印刷データを消去する。
【００１７】
好ましくは印刷装置は、新たな印刷データが入力されると、記憶手段上の領域であって、以前印刷データが記憶されていた領域にそれを記録する。
【００１８】
好ましくは操作手段は、記憶手段に記憶された印刷データの再印刷を指示する指示手段を有する。
【００１９】
ここに指示手段の具体例としては、印刷装置やコンピュータの操作部（例えば印刷装置のユーザパネル、ＰＣのキーボード、マウスなどの入力装置）が挙げられる。
【００２０】
この発明に従うと、操作者による操作を受付ける操作手段において、印刷データを記憶手段から消去する所定の操作が行なわれたと判断されたときに、印刷データが記憶手段から消去される。これにより、セキュリティ機能と利便性とを兼ね備えた印刷装置を提供することが可能となる。
【発明を実施するための最良の形態】
【００２１】
以下に、本発明の実施の形態の１つにおける、印刷装置を用いた印刷システムについて説明する。
【００２２】
本実施の形態における印刷システムは、ＭＦＰ（Multi Function Peripheral）を備えており、ユーザによる特定の操作をもとに、ＭＦＰにおける作業が完了したか否かを判断し、作業完了が判断されるまでの間に限り印刷データをＭＦＰにおいて保持することを特徴としている。
【００２３】
これにより、セキュリティ機能と利便性の両立を図ることができる印刷システムを提供することが可能となる。
【００２４】
図１は、本発明の実施の形態の１つにおける印刷システムの構成を示す図である。
【００２５】
図を参照して、本システムはネットワークに接続された、ＭＦＰ１００（なお、ＭＦＰ１００はＷｅｂサーバとしても機能する。）と、クライアントＰＣ（パーソナルコンピュータ）３００ａ，３００ｂとから構成される。
【００２６】
ＭＦＰ１００にセットされた原稿をスキャンすることにより得られた印刷データ、ＰＣ３００ａ，３００ｂからネットワークを介してＭＦＰ１００に送られた印刷データ、または、公衆回線を介して外部からＭＦＰ１００に送られた印刷データは、一旦ＭＦＰ１００内のハードディスクなどの記憶装置に記憶される。そして、記憶された印刷データを用いてＭＦＰ１００において印刷（プリント）が行なわれる。
【００２７】
図２は、図１のＭＦＰ１００のハードウェア構成を示すブロック図である。
【００２８】
図を参照して、ＭＦＰ１００は、装置全体の制御を行なうＣＰＵ１０１と、一般公衆回線に接続するためのモデム１０３と、インターネットやＬＡＮに接続するためのＬＡＮカード１０５と、ユーザに対して必要な情報を表示する表示部１０７と、ユーザから装置の動作に必要な情報を入力するためのキーなどにより構成される入力部１０９と、印刷データなどを蓄積するハードディスク１１１と、プログラムなどを記憶するＲＯＭ１１３と、データを一時的に記憶するＲＡＭ１１５と、原稿を読取るためのスキャナ１１７と、自動原稿送り装置であるＡＤＦ１１９と、画像データのプリントを行なうプリントエンジン１２１とを備えている。
【００２９】
図３は、図１のクライアントＰＣ３００ａ,３００ｂの１つのハードウェア構成を示すブロック図である。
【００３０】
図を参照して、クライアントＰＣは、装置全体の制御を行なうＣＰＵ３０１と、表示部３０３と、ＬＡＮに接続するためのＬＡＮカード３０５と、キーボードやマウスなどにより構成される入力部３０７と、フレキシブルディスクドライブ３０９と、ＣＤ−ＲＯＭドライブ３１１と、ハードディスク３１３と、ＲＯＭ３１５と、ＲＡＭ３１７とを備えている。
【００３１】
フレキシブルディスクドライブ３０９により、フレキシブルディスク（Ｆ１）に記録された画像データやプログラムなどを読取ることが可能であり、ＣＤ−ＲＯＭドライブ３１１により、ＣＤ−ＲＯＭ（Ｃ１）に記録された画像データやプログラムなどを読取ることが可能である。
【００３２】
図４は、図１のＭＦＰ１００の機能ブロック図である。
【００３３】
図を参照してＭＦＰ１００は、その機能ブロックとして、スキャナ２０１（読取部であり、図２のスキャナ１１７に相当）と、ユーザパネル２０５（操作部であり、図２の入力部１０９に対応）と、ハードディスク２０７（記憶部であり、図２のハードディスク１１１に対応）と、印刷部２０３（図２のプリントエンジン１２１に対応）とを備えている。
【００３４】
ハードディスク２０７は、スキャナ２０１で読取られた印刷データ（スキャンデータ）、またはネットワークや公衆回線を介して入力された印刷データ（画像データ）を一時的に保存するバッファとして機能する。
【００３５】
印刷部２０３による印刷データの印刷終了後も、ユーザパネル２０５から印刷指示があれば、印刷装置はハードディスク２０７からデータを取出して印刷部２０３に送り、印刷が行なわれる。
【００３６】
ユーザパネル２０５は、ユーザにより行なわれる操作に基づき、スキャナ２０１に対してスキャン指示を、印刷部２０３に対して印刷指示を、ハードディスク２０７に対してデータ消去指示を行なう。
【００３７】
ユーザによりデータを消去する操作が行なわれたと判断された場合には、指示されたレベル（消去処理）でハードディスク２０７内のデータが消去され、次の作業の指示がくるまで待機が行なわれる。
【００３８】
ハードディスク２０７に記録される印刷データは、基本的にはユーザの作業中に限り保存され、作業終了（作業完了）が検出されると同時に消去される。これにより、セキュリティと利便性とを兼ね備えた印刷装置を提供することが可能となる。すなわち本実施の形態においては、スキャン時に生成された印刷データ、またはネットワークや公衆回線を介して入力された印刷データは、ユーザの作業が終了したと判断するまでハードディスク２０７に保存され、その後消去されるのである。
【００３９】
作業が終了したと判断するタイミングは、以下の（Ａ）または（Ｂ）の時である。
【００４０】
（Ａ）  ユーザによるユーザパネルのリセット操作時、または印刷装置に対する操作が一定時間なかったときに発生するオートリセット時。
【００４１】
（Ｂ）  ユーザによるユーザパネルのリセットボタンの長押しなど、ユーザパネルの特定の操作があった時。
【００４２】
その他、通常使用時の操作とは異なる予め定められた操作がユーザパネル２０５などに対して行なわれたとき、作業が終了したと判定するようにしてもよい。
【００４３】
なお、「ユーザパネルのリセット操作」とは、たとえばユーザパネルに設けられたパネルリセットボタンが押されたときなどである。また、「オートリセット時」とは、一定時間ユーザパネル操作がないときに、自動的にユーザパネルの設定をリセットするときである。
【００４４】
また、作業が終了したと印刷装置が判断すると、ハードディスクからデータの消去が行なわれるが、そのときの消去のレベルは以下の２つがあるものとする。すなわち「簡易消去」と、「完全消去」の２つのレベルであり、前者は上記（Ａ）のタイミングで実施され、後者は上記（Ｂ）のタイミングで実施される。
【００４５】
（１）  簡易消去
簡易消去とは、ハードディスク中に占める印刷データが保存されている領域へのアクセス設定を上書き可能とし、かつ当該領域へのユーザパネルからのアクセスを不可能にするものである。これは、作業完了と判断される上記条件（Ａ）を満たすときに実行される。
【００４６】
すなわち簡易消去では、印刷データが書込まれたハードディスクの作業領域が開放される。これにより、印刷データが記憶されている場所に対して新しいデータを上書きすることが可能となる。また、作業領域が開放されることで、通常の操作では当該印刷データにアクセスすることができなくなる。この消去は、完全な消去ではない反面、消去に必要となる時間が非常に短いというメリットがある。
【００４７】
（２）  完全消去
完全消去とは、ハードディスク中の印刷データが保存されている領域に対して、印刷とは関係のないデータ（たとえば、“０”のみ、“０”〜“９”の繰返し）を上書きし、かつ当該領域へのアクセス設定を、他のデータによる上書き可能とするものである。これは、作業完了と判断される上記条件（Ｂ）を満たすときに実行される。
【００４８】
ハードディスク中の印刷データを保存している領域に印刷とは無関係なデータを上書きすることで、その印刷データは復元不可能となる。完全消去において、消去に必要な時間は簡易消去の時間よりは長くなるが、完全消去を選択すると、たとえば印刷装置が破壊され、ハードディスクが持ち出されたとしても、無関係なデータしか取出すことができないというメリットがある。
【００４９】
このようにして本実施の形態においては、作業完了時のユーザによる特定の操作が行なわれるまでの期間（およびユーザパネルがリセットされるまでの特定の期間）に限定して、スキャンや入力により得られた印刷データを保存しておくことで、データの再利用という利便性を維持することができる。また、別のユーザが印刷装置を使用するときには、既に過去のデータは消去され、アクセス不可能となるため、セキュリティの確保も同時に実現することができる。
【００５０】
限定的に保存された印刷データは、操作部の操作に基づく再印刷の指示により再印刷することが可能である。
【００５１】
図５は、図１のＭＦＰ１００において実行される処理を示すフローチャートである。
【００５２】
図を参照して、ステップＳ１０１においてスキャナ１１７を用いた原稿のスキャン（またはＬＡＮカード１０５やモデム１０３を用いた画像データの入力）が行なわれる。
【００５３】
ステップＳ１０３において、ハードディスク１１１上に設けられたバッファ領域にスキャンデータ（または入力された画像データ）を格納する。ＭＦＰ１００は、バッファ領域からデータを取出してプリントエンジン１２１を用いて印刷を行なう。
【００５４】
ステップＳ１０５で印刷が終了した後に、ステップＳ１０７で入力部１０９に含まれるユーザパネルから印刷要求があった場合、バッファ領域にあるデータを利用し再度印刷を行なう。
【００５５】
ステップＳ１０９において、別の原稿のスキャンが開始されたかが判定され、ＹＥＳであればステップＳ１２１において、ハードディスク１１１上に保存されたデータの管理情報のみを変更し、データがあった領域を別データによる上書き可能な状態に設定した後、ステップＳ１０３に戻る。
【００５６】
ステップＳ１０９においてＮＯであれば、ステップＳ１１１で、入力部１０９に含まれるパネルリセットボタンが押下されたかが判定される。ＹＥＳであれば、ステップＳ１１３においてパネルリセットボタンが一定時間以上押されたかが判定される。
【００５７】
ステップＳ１１３でＹＥＳであれば、ステップＳ１１５において、印刷データの完全消去を行なうか否かの画面を表示し、完全消去が選択されたかが判定される。ＮＯであれば、ステップＳ１１１に戻り、ＹＥＳであればステップＳ１１７において、ハードディスク１１１上のバッファ領域に保存されたデータをたとえば“０”で上書きし、データのあった領域を別データによる上書き可能に設定する。そして、ステップＳ１１９で次のスキャンを待つ。
【００５８】
また、ステップＳ１１１においてＮＯであれば、ステップＳ１２３において、一定時間入力部１０９に含まれるユーザパネルにおいて入力がなかったかが判定される。
【００５９】
ステップＳ１２３においてＹＥＳであれば、ステップＳ１２５において、ユーザパネルの設定をリセットし、ステップＳ１２７において、ハードディスク１１１上のバッファ領域に保存されたデータの管理情報のみを変更し、データのあった領域を別データによる上書き可能に設定する。その後、ステップＳ１１９に進む。
【００６０】
また、ステップＳ１２３においてＮＯであれば、ステップＳ１０７に戻る。
【００６１】
ステップＳ１１３においてＮＯであれば、ステップＳ１２５からの処理を行なう。
【００６２】
なお、ステップＳ１１７での処理が、上述の「完全消去」に相当し、ステップＳ１２１またはＳ１２７での処理が、「簡易消去」に相当する。
【００６３】
また、ここではステップＳ１１３でパネルリセットボタンが一定時間以上押されたとき、ステップＳ１１５において、印刷データの完全消去を行なうか否かの画面を表示し、完全消去が選択されたかを判定することとしたが、ステップＳ１１５での処理は省略し、ステップＳ１１３でＹＥＳであれば、即座にステップＳ１１７でデータ消去を行なうようにしてもよい。
【００６４】
図６は、図５のステップＳ１１５において表示部１０７に表示される画面の具体例を示す図である。
【００６５】
図を参照して、パネルリセットボタンが一定時間以上押された場合には、画面に完全消去を行なうか否かの選択画面が表示される。ユーザは、そのいずれかを選ぶことで、データの完全消去を行なうか否かを選択することが可能である。
【００６６】
図７は、図５のステップＳ１２５において表示部１０７に表示される画面の具体例を示す図である。
【００６７】
パネルリセットボタンが押されたがその押された時間が短い場合、またはパネル操作が一定時間なく自動的にパネルがリセットされる場合には、ユーザへの確認なしにデータの簡易消去を行ない、図７に示されるように通常画面上にデータを消去した旨を一定時間だけ表示する。
【００６８】
なお、図７において（Ａ）は、装置のステータスを通知するための表示部であり、（Ｂ）は装置の設定を表示するための表示部である。
【００６９】
以上のようにして、本実施の形態における印刷装置は、作業完了時のユーザによる特定の操作が行なわれるまでの期間（およびパネルリセットまでなどの所定の時間）に限定して、スキャンした原稿データなどを保存しておくことで、データの再利用という利便性を維持することができる。また、別のユーザが印刷装置を使用するときには、既に過去のデータが消去され、アクセスできないため、セキュリティの確保も同時に実現可能である。
【００７０】
なお、上述の実施の形態においてはハードディスクに印刷データを格納することとしたが、このような磁気媒体に限らず、半導体メモリ（ＲＡＭ、フラッシュメモリなど）に印刷データを記憶するようにしてもよい。
【００７１】
また、図５のステップＳ１０９において、別の原稿のスキャンが開始された場合にＹＥＳが選択されることとしたが、これに加えてネットワーク１００を介してＭＦＰに画像データが入力された場合においてもＹＥＳと判定し、既に記録されている印刷データを消去することとしてもよい。
【００７２】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して装置にダウンロードするようにしてもよい。
【００７３】
また、上述の実施の形態に限らず、本発明に係る印刷装置はネットワークに接続されたシステムにおいても、ネットワーク環境に接続されていないシステムにおいても適用することができる。すなわち、スキャナのみを印刷データの入力元とする複写機などにおいても本発明を実施することができる。
【００７４】
さらに、上述の実施の形態においてはＭＦＰのリセットボタンの操作などに基づいて印刷データを消去することとしたが、これに代えて外部のパーソナルコンピュータなどからの操作に基づいてＭＦＰのハードディスクに記録された印刷データを消去するようにしてもよい。すなわち、パーソナルコンピュータからＭＦＰに印刷データを送信した後、パーソナルコンピュータの画面に、「完全消去」、「簡易消去」、「消去しない」の選択画面を表示し、ユーザに対し選択を促すものである。選択に基づくデータは、パーソナルコンピュータからＭＦＰへ送られる。「完全消去」が選択されたときには、印刷データの印刷後（図５のステップＳ１０５）に、図５のステップＳ１１１〜Ｓ１１５で全てＹＥＳと判定されるものとし、ステップＳ１１７の処理が行なわれる。「簡易消去」が選択されたときには、印刷データの印刷後（図５のステップＳ１０５）に、図５のステップＳ１１１でＹＥＳ、ステップＳ１１３でＮＯと判定されるものとし、ステップＳ１２５以降の処理が行なわれる。「消去しない」が選択されたときには、特別なユーザからの指示があるまでその印刷データはハードディスクに保存される。
【００７５】
このように、パーソナルコンピュータにおいて簡易消去や完全消去を選択させ、ＭＦＰに信号を送り、それに基づいてＭＦＰが簡易消去か完全消去かのいずれかを選択し、データの消去を行なうようにしてもよい。
【００７６】
なお、上述の実施の形態において「簡易消去」を行なうためには、印刷データが記録される先頭アドレスを常に固定しておき、印刷データが入力される度に常に元のデータが上書きされるように装置を構成してもよいし、「簡易消去」が選択されたデータの先頭アドレスをリストに記録しておき、そのリスト中から任意に選択を行ない、データを上書きするように装置を構成してもよい。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７８】
【図１】本発明の実施の形態の１つにおける印刷システムの構成を示す図である。
【図２】図１のＭＦＰ１００のハードウェア構成を示すブロック図である。
【図３】図１のＰＣ３００ａ,３００ｂの１つのハードウェア構成を示すブロック図である。
【図４】図１に示されるＭＦＰ１００の機能ブロック図である。
【図５】ＭＦＰ１００が実行する処理を示すフローチャートである。
【図６】印刷データの完全消去を行なうか否かの選択画面の具体例を示す図である。
【図７】印刷データの消去画面の具体例を示す図である。
【符号の説明】
【００７９】
１００  ＭＦＰ、１０３  モデム、１０５  ＬＡＮカード、１０７  表示部、１０９  入力部、１１１  ハードディスク、１１７  スキャナ、１２１  プリントエンジン、２０１  スキャナ（読取部）、２０３  印刷部、２０５  ユーザパネル（操作部）、２０７  ハードディスク（記憶部）、３００ａ，３００ｂ  パーソナルコンピュータ。
【図１】
2005096082.tif 000003
【図２】
2005096082.tif 000004
【図３】
2005096082.tif 000005
【図４】
2005096082.tif 000006
【図５】
2005096082.tif 000007
【図６】
2005096082.tif 000008
【図７】
2005096082.tif 000009